(57)【要約】  本発明に係る実施例に従い、端末機器の電源オフ動作を制御するための方法と装置が開示され、当該方法は、前記端末機器が電源オンされた後に、前記端末機器の使用状態を表す情報を獲得するステップ；および、前記獲得された前記端末機器の使用状態を表す前記情報に従って、前記端末機器が正常でない電源オン操作により電源オンされていると判定したならば、前記端末機器を制御して電源オフ動作を実行するステップ；を具備する。本発明に係る実施例に従うならば、端末の電源は、オフの操作がされた後は、必ずしも常にオン状態のままとは限らない。むしろ、本発明の実施例においては、端末が正常でない電源オン操作によりオンされた状態であるか否かが最初に検出され、端末の梱包作業と輸送の過程において、不慮のミスにより電源スイッチに対して偶発的にオン操作がされたことにより、端末がオン状態になっている場合には、端末が「正常でない電源オン操作」によりオンされた状態であることを検出可能であり、その場合には、端末を制御してオフ状態とし、その結果として、「正常でない電源オン操作」により浪費されていたかも知れないバッテリー容量を温存し、最初の電源オン操作がされた時点において、端末機器のバッテリー容量が電源供給の必要性を満足させることを保証し、当該最初の電源オン操作による端末起動の成功率を高めることが可能となる。
2015504277.tif 000002
【特許請求の範囲】
【請求項１】
端末機器の電源オフ動作を制御するための方法であって：
前記端末機器が電源オンされた後に、前記端末機器の使用状態を表す情報を獲得するステップ；および、
前記獲得された前記端末機器の使用状態を表す前記情報に従って、前記端末機器が正常でない電源オン操作により電源オンされていると判定したならば、前記端末機器を制御して電源オフ動作を実行するステップ；
を具備する方法。
【請求項２】
前記端末機器の使用状態を表す前記情報は、ＳＩＭ（Subscriber  Identity  Module）カードについての端末使用状態を表す情報を含み、
前記獲得された前記端末機器の使用状態を表す前記情報に従って、前記端末機器が正常でない電源オン操作により電源オンされていると前記判定する動作は、前記端末機器にＳＩＭカードが全く挿入されていない状態であることを、前記ＳＩＭカードについての端末使用状態を表す情報が示しているならば、前記端末機器が正常でない電源オン操作により電源オンされていると判定する動作を含む、
ことを特徴とする請求項１記載の方法。
【請求項３】
前記端末機器の使用状態を表す前記情報は、ＷｉＦｉ（Wireless  Fidelity）ユーザの数についての端末使用状態を表す情報を含み、
前記獲得された前記端末機器の使用状態を表す前記情報に従って、前記端末機器が正常でない電源オン操作により電源オンされていると前記判定する動作は、前記端末機器にアクセスしているＷｉＦｉユーザが全く存在しない状態であることを、前記ＷｉＦｉユーザの数についての端末使用状態を表す情報が示しているならば、前記端末機器が正常でない電源オン操作により電源オンされていると判定する動作を含む、
ことを特徴とする請求項１または請求項２に記載された方法。
【請求項４】
前記端末機器の使用状態を表す前記情報は、Ｂｌｕｅｔｏｏｔｈを介してアクセスしているユーザの数についての端末使用状態を表す情報を含み、
前記獲得された前記端末機器の使用状態を表す前記情報に従って、前記端末機器が正常でない電源オン操作により電源オンされていると前記判定する動作は、前記端末機器をアクセスしているＢｌｕｅｔｏｏｔｈユーザが全く存在しない状態であることを、前記Ｂｌｕｅｔｏｏｔｈを介してアクセスしているユーザの数についての端末使用状態を表す情報が示しているならば、前記端末機器が正常でない電源オン操作により電源オンされていると判定する動作を含む、
ことを特徴とする請求項１乃至請求項３の中の何れか一項に記載された方法。
【請求項５】
前記端末機器の使用状態を表す前記情報は、ＵＳＢ（Universal  Serial  Bus）インターフェースについての端末使用状態を表す情報を含み、
前記獲得された前記端末機器の使用状態を表す前記情報に従って、前記端末機器が正常でない電源オン操作により電源オンされていると前記判定する動作は、端末機器のＵＳＢインターフェースに外部接続機器が全く接続されていない状態であることを、前記ＵＳＢインターフェースについての端末使用状態を表す情報が示しているならば、前記端末機器が正常でない電源オン操作により電源オンされていると判定する動作を含む、
ことを特徴とする請求項１乃至請求項４の中の何れか一項に記載された方法。
【請求項６】
前記端末機器の使用状態を表す前記情報は、充電器についての端末使用状態を表す情報を含み、
前記獲得された前記端末機器の使用状態を表す前記情報に従って、前記端末機器が正常でない電源オン操作により電源オンされていると前記判定する動作は、端末機器の充電器インターフェースに充電器が全く接続されていない状態であることを、前記充電器についての端末使用状態を表す情報が示しているならば、前記端末機器が正常でない電源オン操作により電源オンされていると判定する動作を含む、
ことを特徴とする請求項１乃至請求項５の中の何れか一項に記載された方法。
【請求項７】
前記端末機器の電源オフ動作を制御するための具体的な動作は、
前記端末機器の電源がオン状態にされた後であって、かつ前記端末機器の使用状態を表す前記情報を獲得する前の時点においてタイマーによる時間計測を開始するステップ；および、
前記タイマーにより計測した期間が事前に設定された時間計測期間に達したならば、前記端末機器を制御して電源オフ動作を実行するステップ；
により実現されることを特徴とする請求項１乃至請求項６の中の何れか一項に記載された方法。
【請求項８】
前記獲得された前記端末機器の使用状態を表す前記情報に従って、前記端末機器が正常でない電源オン操作により電源オンされていると前記判定された場合には、前記タイマーは動作を終了させられ、再度初期化される、
ことを特徴とする請求項７記載の方法。
【請求項９】
端末機器の電源オフ動作を制御するための装置であって：
前記端末機器が電源オンされた後に、前記端末機器の使用状態を表す情報を獲得するように構成された獲得ユニット；
前記獲得ユニットにより前記獲得された前記端末機器の使用状態を表す前記情報に従って、前記端末機器が正常でない電源オン操作により電源オンされていると判定するように構成された検出ユニット；および、
前記端末機器が正常でない電源オン操作により電源オンされていることを、前記検出ユニットが前記判定したならば、前記端末機器を制御して電源オフ動作を実行する制御ユニット；
を具備する装置。
【請求項１０】
前記獲得ユニットが獲得する前記端末機器の使用状態を表す前記情報は、具体的には、ＳＩＭ（Subscriber  Identity  Module）カードについての端末使用状態を表す情報を含んでおり、
前記検出ユニットは、具体的には、前記端末機器にＳＩＭカードが全く挿入されていない状態であることを、前記ＳＩＭカードについての端末使用状態を表す情報が示しているならば、前記端末機器が正常でない電源オン操作により電源オンされていると判定するように構成されている、
ことを特徴とする請求項９記載の装置。
【請求項１１】
前記獲得ユニットが獲得する前記端末機器の使用状態を表す前記情報は、具体的には、ＷｉＦｉ（Wireless  Fidelity）ユーザの数についての端末使用状態を表す情報を含んでおり、
前記検出ユニットは、具体的には、前記端末機器にアクセスしているＷｉＦｉユーザが全く存在しない状態であることを、前記ＷｉＦｉユーザの数についての端末使用状態を表す情報が示しているならば、前記端末機器が正常でない電源オン操作により電源オンされていると判定するように構成されている、
ことを特徴とする請求項９または請求項１０に記載された装置。
【請求項１２】
前記獲得ユニットが獲得する前記端末機器の使用状態を表す前記情報は、具体的には、Ｂｌｕｅｔｏｏｔｈを介してアクセスしているユーザの数についての端末使用状態を表す情報を含んでおり、
前記検出ユニットは、具体的には、前記端末機器をアクセスしているＢｌｕｅｔｏｏｔｈユーザが全く存在しない状態であることを、前記Ｂｌｕｅｔｏｏｔｈを介してアクセスしているユーザの数についての端末使用状態を表す情報が示しているならば、前記端末機器が正常でない電源オン操作により電源オンされていると判定するように構成されている、
ことを特徴とする請求項９乃至請求項１１の中の何れか一項に記載された装置。
【請求項１３】
前記獲得ユニットが獲得する前記端末機器の使用状態を表す前記情報は、具体的には、ＵＳＢ（Universal  Serial  Bus）インターフェースについての端末使用状態を表す情報を含んでおり、
前記検出ユニットは、具体的には、端末機器のＵＳＢインターフェースに外部接続機器が全く接続されていない状態であることを、前記ＵＳＢインターフェースについての端末使用状態を表す情報が示しているならば、前記端末機器が正常でない電源オン操作により電源オンされていると判定するように構成されている、
ことを特徴とする請求項９乃至請求項１２の中の何れか一項に記載された装置。
【請求項１４】
前記獲得ユニットが獲得する前記端末機器の使用状態を表す前記情報は、具体的には、充電器についての端末使用状態を表す情報を含んでおり、
前記検出ユニットは、具体的には、端末機器の充電器インターフェースに充電器が全く接続されていない状態であることを、前記充電器についての端末使用状態を表す情報が示しているならば、前記端末機器が正常でない電源オン操作により電源オンされていると判定するように構成されている、
ことを特徴とする請求項９乃至請求項１３の中の何れか一項に記載された装置。
【請求項１５】
前記装置は：前記獲得ユニットが、前記端末機器の使用状態を表す前記情報を前記獲得する前の時点においてタイマーによる時間計測を開始するように構成されたタイミング・ユニット；をさらに含んでおり、
前記制御ユニットは、前記タイマーにより計測した期間が事前に設定された時間計測期間に達したならば、前記端末機器を制御して電源オフ動作を実行するように具体的に構成されており、
前記タイミング・ユニットは、前記端末機器が正常でない電源オン操作により電源オンされていると前記検出ユニットが前記判定した場合には、前記タイマーの動作を終了させ、再度初期化するようにさらに構成されている、
ことを特徴とする請求項９乃至請求項１４の中の何れか一項に記載された装置。
【請求項１６】
請求項１乃至請求項８の中の何れか一項に記載された方法をコンピュータに実行させるためのプログラムが記録されているコンピュータ読み出し可能記録媒体。
【発明の詳細な説明】
【技術分野】
【０００１】
本発明は、通信技術の分野と関係し、より具体的には、端末機器の電源オフ動作を制御するための方法と装置に関係する。
【背景技術】
【０００２】
現在、例えば、バッテリー電源を有するルータ型端末や可搬型のモバイル端末等のように、バッテリーが本体から分離されていない形態の端末機器が数多く存在する。これらの端末機器の梱包作業と輸送の過程において、不慮のミスにより電源スイッチに対して偶発的にオン操作がされてしまうことにより、これらの端末機器は、電源がオン状態にされてしまう場合がある。この場合、上述したような不慮のミスによる電源オン操作は、その時点においてユーザが当該端末機器を使用したいとは思っていないにも拘らず実行されるので、「正常でない電源オン操作」と呼ばれる。当該「正常でない電源オン操作」により端末機器の電源がオン操作されると、当該端末機器内部のバッテリー容量は浪費され、その結果、ユーザが当該端末機器を正常にオン操作した際に、バッテリー容量内の充電量が少ないか又は全く残っていないことにより、当該端末機器は、ユーザによる使用のために電源オンすることができなくなっている可能性がある。例えば、当該端末機器が輸送中に「正常でない電源オン操作」により電源オン操作がされていると、当該端末機器が番号割り当てのために運用管理者の保管庫に到着した時点では、番号割り当ての作業中において、バッテリー容量内の充電量が予期した以上に少ないことにより、当該端末機器は最初は電源オンが出来ない状態になっているかも知れない。
【発明の概要】
【０００３】
上述した「正常でない電源オン操作」によるバッテリー容量の浪費に起因して、端末機器が最初の時点では電源オンすることができない場合が生じ得るという従来技術の問題点を解決するために、本発明に係る複数の実施例は、端末機器の電源オフ動作を制御するための方法と装置を開示する。
【０００４】
従来技術における上述した問題点を解決するために、本発明に係る複数の実施例は、以下において後述するような技術的解決方法を開示する。
【０００５】
本発明に係る第１の側面においては、端末機器の電源オフ動作を制御するための方法が開示され、当該方法は：前記端末機器が電源オンされた後に、前記端末機器の使用状態を表す情報を獲得するステップ；および、前記獲得された前記端末機器の使用状態を表す前記情報に従って、前記端末機器が正常でない電源オン操作により電源オンされていると判定したならば、前記端末機器を制御して電源オフ動作を実行するステップ；を含むことを特徴とする構成を採る。
【０００６】
上述した本発明に係る第１の側面と組み合わせて実施するために、上述した本発明に係る第１の側面を実現可能な第１の実装形態においては、前記端末機器の使用状態を表す前記情報は、ＳＩＭ（Subscriber  Identity  Module）カードについての端末使用状態を表す情報を含み、前記獲得された前記端末機器の使用状態を表す前記情報に従って、前記端末機器が正常でない電源オン操作により電源オンされていると前記判定する動作は、前記端末機器にＳＩＭカードが全く挿入されていない状態であることを、前記ＳＩＭカードについての端末使用状態を表す情報が示しているならば、前記端末機器が正常でない電源オン操作により電源オンされていると判定する動作を含むことを特徴とする。
【０００７】
上述した本発明に係る第１の側面または当該第１の側面を実現可能な第１の実装形態と組み合わせて実施するために、上述した本発明に係る第１の側面を実現可能な第２の実装形態においては、前記端末機器の使用状態を表す前記情報は、ＷｉＦｉ（Wireless  Fidelity）ユーザの数についての端末使用状態を表す情報を含み、前記獲得された前記端末機器の使用状態を表す前記情報に従って、前記端末機器が正常でない電源オン操作により電源オンされていると前記判定する動作は、前記端末機器にアクセスしているＷｉＦｉユーザが全く存在しない状態であることを、前記ＷｉＦｉユーザの数についての端末使用状態を表す情報が示しているならば、前記端末機器が正常でない電源オン操作により電源オンされていると判定する動作を含むことを特徴とする。
【０００８】
上述した本発明に係る第１の側面、当該第１の側面を実現可能な第１の実装形態、または当該第１の側面を実現可能な第２の実装形態の何れかと組み合わせて実施するために、上述した本発明に係る第１の側面を実現可能な第３の実装形態においては、前記端末機器の使用状態を表す前記情報は、Ｂｌｕｅｔｏｏｔｈ（登録商標）を介してアクセスしているユーザの数についての端末使用状態を表す情報を含み、前記獲得された前記端末機器の使用状態を表す前記情報に従って、前記端末機器が正常でない電源オン操作により電源オンされていると前記判定する動作は、前記端末機器をアクセスしているＢｌｕｅｔｏｏｔｈユーザが全く存在しない状態であることを、前記Ｂｌｕｅｔｏｏｔｈを介してアクセスしているユーザの数についての端末使用状態を表す情報が示しているならば、前記端末機器が正常でない電源オン操作により電源オンされていると判定する動作を含むことを特徴とする。
【０００９】
上述した本発明に係る第１の側面、当該第１の側面を実現可能な第１の実装形態、当該第１の側面を実現可能な第２の実装形態または当該第１の側面を実現可能な第３の実装形態の何れかと組み合わせて実施するために、上述した本発明に係る第１の側面を実現可能な第４の実装形態においては、前記端末機器の使用状態を表す前記情報は、ＵＳＢ（Universal  Serial  Bus）インターフェースについての端末使用状態を表す情報を含み、前記獲得された前記端末機器の使用状態を表す前記情報に従って、前記端末機器が正常でない電源オン操作により電源オンされていると前記判定する動作は、端末機器のＵＳＢインターフェースに外部接続機器が全く接続されていない状態であることを、前記ＵＳＢインターフェースについての端末使用状態を表す情報が示しているならば、前記端末機器が正常でない電源オン操作により電源オンされていると判定する動作を含むことを特徴とする。
【００１０】
上述した本発明に係る第１の側面、当該第１の側面を実現可能な第１の実装形態、当該第１の側面を実現可能な第２の実装形態、当該第１の側面を実現可能な第３の実装形態または当該第１の側面を実現可能な第４の実装形態の何れかと組み合わせて実施するために、上述した本発明に係る第１の側面を実現可能な第５の実装形態においては、前記端末機器の使用状態を表す前記情報は、充電器についての端末使用状態を表す情報を含み、前記獲得された前記端末機器の使用状態を表す前記情報に従って、前記端末機器が正常でない電源オン操作により電源オンされていると前記判定する動作は、端末機器の充電器インターフェースに充電器が全く接続されていない状態であることを、前記充電器についての端末使用状態を表す情報が示しているならば、前記端末機器が正常でない電源オン操作により電源オンされていると判定する動作を含むことを特徴とする。
【００１１】
上述した本発明に係る第１の側面、当該第１の側面を実現可能な第１の実装形態、当該第１の側面を実現可能な第２の実装形態、当該第１の側面を実現可能な第３の実装形態、当該第１の側面を実現可能な第４の実装形態または第１の側面を実現可能な第５の実装形態の何れかと組み合わせて実施するために、上述した本発明に係る第１の側面を実現可能な第６の実装形態においては、前記端末機器の電源オフ動作を制御するための具体的な動作は、前記端末機器の電源がオン状態にされた後であって、かつ前記端末機器の使用状態を表す前記情報を獲得する前の時点においてタイマーによる時間計測を開始し、さらに、前記タイマーにより計測した期間が事前に設定された時間計測期間に達したならば、前記端末機器を制御して電源オフ動作を実行することにより実現されることを特徴とする。
【００１２】
上述した本発明に係る第１の側面の実現可能な第６の実装形態と組み合わせて実施するために、上述した本発明に係る第１の側面を実現可能な第７の実装形態においては、前記獲得された前記端末機器の使用状態を表す前記情報に従って、前記端末機器が正常でない電源オン操作により電源オンされていると前記判定された場合には、前記タイマーは動作を終了させられ、再度初期化される。
【００１３】
本発明に係る第２の側面においては、端末機器の電源オフ動作を制御するための装置が開示され、当該装置は：前記端末機器が電源オンされた後に、前記端末機器の使用状態を表す情報を獲得するように構成された獲得ユニット；前記獲得ユニットにより前記獲得された前記端末機器の使用状態を表す前記情報に従って、前記端末機器が正常でない電源オン操作により電源オンされていると判定するように構成された検出ユニット；および、前記端末機器が正常でない電源オン操作により電源オンされていることを、前記検出ユニットが前記判定したならば、前記端末機器を制御して電源オフ動作を実行する制御ユニット；を含むことを特徴とする構成を採る。
【００１４】
上述した本発明に係る第２の側面と組み合わせて実施するために、上述した本発明に係る第２の側面を実現可能な第１の実装形態においては、前記獲得ユニットが獲得する前記端末機器の使用状態を表す前記情報は、具体的には、ＳＩＭ（Subscriber  Identity  Module）カードについての端末使用状態を表す情報を含むことを特徴とし、前記検出ユニットは、具体的には、前記端末機器にＳＩＭカードが全く挿入されていない状態であることを、前記ＳＩＭカードについての端末使用状態を表す情報が示しているならば、前記端末機器が正常でない電源オン操作により電源オンされていると判定するように構成されていることを特徴とする。
【００１５】
上述した本発明に係る第２の側面または当該第２の側面を実現可能な第１の実装形態と組み合わせて実施するために、上述した本発明に係る第２の側面を実現可能な第２の実装形態においては、前記獲得ユニットが獲得する前記端末機器の使用状態を表す前記情報は、具体的には、ＷｉＦｉ（Wireless  Fidelity）ユーザの数についての端末使用状態を表す情報を含むことを特徴とし、前記検出ユニットは、具体的には、、前記端末機器にアクセスしているＷｉＦｉユーザが全く存在しない状態であることを、前記ＷｉＦｉユーザの数についての端末使用状態を表す情報が示しているならば、前記端末機器が正常でない電源オン操作により電源オンされていると判定するように構成されていることを特徴とする。
【００１６】
上述した本発明に係る第２の側面、当該第２の側面を実現可能な第１の実装形態、または当該第２の側面を実現可能な第２の実装形態の何れかと組み合わせて実施するために、上述した本発明に係る第２の側面を実現可能な第３の実装形態においては、前記獲得ユニットが獲得する前記端末機器の使用状態を表す前記情報は、具体的には、Ｂｌｕｅｔｏｏｔｈを介してアクセスしているユーザの数についての端末使用状態を表す情報を含むことを特徴とし、前記検出ユニットは、具体的には、前記端末機器をアクセスしているＢｌｕｅｔｏｏｔｈユーザが全く存在しない状態であることを、前記Ｂｌｕｅｔｏｏｔｈを介してアクセスしているユーザの数についての端末使用状態を表す情報が示しているならば、前記端末機器が正常でない電源オン操作により電源オンされていると判定するように構成されていることを特徴とする。
【００１７】
上述した本発明に係る第２の側面、当該第２の側面を実現可能な第１の実装形態、当該第２の側面を実現可能な第２の実装形態または当該第２の側面を実現可能な第３の実装形態の何れかと組み合わせて実施するために、上述した本発明に係る第２の側面を実現可能な第４の実装形態においては、前記獲得ユニットが獲得する前記端末機器の使用状態を表す前記情報は、具体的には、ＵＳＢ（Universal  Serial  Bus）インターフェースについての端末使用状態を表す情報を含むことを特徴とし、前記検出ユニットは、具体的には、端末機器のＵＳＢインターフェースに外部接続機器が全く接続されていない状態であることを、前記ＵＳＢインターフェースについての端末使用状態を表す情報が示しているならば、前記端末機器が正常でない電源オン操作により電源オンされていると判定するように構成されていることを特徴とする。
【００１８】
上述した本発明に係る第２の側面、当該第２の側面を実現可能な第１の実装形態、当該第２の側面を実現可能な第２の実装形態、当該第２の側面を実現可能な第３の実装形態または当該第２の側面を実現可能な第４の実装形態の何れかと組み合わせて実施するために、上述した本発明に係る第２の側面を実現可能な第５の実装形態においては、前記獲得ユニットが獲得する前記端末機器の使用状態を表す前記情報は、具体的には、充電器についての端末使用状態を表す情報を含むことを特徴とし、前記検出ユニットは、具体的には、端末機器の充電器インターフェースに充電器が全く接続されていない状態であることを、前記充電器についての端末使用状態を表す情報が示しているならば、前記端末機器が正常でない電源オン操作により電源オンされていると判定するように構成されていることを特徴とする。
【００１９】
上述した本発明に係る第２の側面、当該第２の側面を実現可能な第１の実装形態、当該第２の側面を実現可能な第２の実装形態、当該第２の側面を実現可能な第３の実装形態、当該第２の側面を実現可能な第４の実装形態または第２の側面を実現可能な第５の実装形態の何れかと組み合わせて実施するために、上述した本発明に係る第２の側面を実現可能な第６の実装形態においては、前記装置は：前記獲得ユニットが、前記端末機器の使用状態を表す前記情報を前記獲得する前の時点においてタイマーによる時間計測を開始するように構成されたタイミング・ユニット；をさらに含んでおり、前記制御ユニットは、前記タイマーにより計測した期間が事前に設定された時間計測期間に達したならば、前記端末機器を制御して電源オフ動作を実行するように具体的に構成されており、前記タイミング・ユニットは、前記端末機器が正常でない電源オン操作により電源オンされていると前記検出ユニットが前記判定した場合には、前記タイマーの動作を終了させ、再度初期化するようにさらに構成される。
【００２０】
端末機器の電源オフ動作を制御するために、本発明に係る複数の実施例によって開示される方法においては、端末機器は、電源オフの操作がされた後は、必ずしも常に電源オン状態のままであるとは限らない。むしろ、本発明に係る実施例においては、当該端末機器が正常でない電源オン操作により電源オンされた状態であるか否かが最初に検出され、当該端末機器の梱包作業と輸送の過程において、不慮のミスにより電源スイッチに対して偶発的にオン操作がされたことに起因して、当該端末機器が電源オン状態になっている場合には、当該端末機器が「正常でない電源オン操作」により電源オンされた状態であることを検出可能であり、そのような場合には、当該端末機器を制御して電源オフ状態とし、その結果として、「正常でない電源オン操作」により浪費されていたかもしれないバッテリー容量を温存し、最初の電源オン操作がされた時点において、当該端末機器のバッテリー容量が電源供給の必要性を満足させることを保証し、当該最初の電源オン操作による端末起動の成功率を高めることが可能となる。
【００２１】
本発明に係る実施例における技術的解決法あるいは本発明と関連する先行技術について一層明確に説明するために、本発明に係る実施例を図解するのに必要とされる添付図面が以下において簡単に説明される。当然のことであるが、以下において簡単に説明する添付図面は、本発明に係る実施例の幾つかを単に例示しているに過ぎず、当該技術分野における当業者は、格別の創意工夫を要することなく、これらの添付図面の記載から、本発明に関し、図示されている実施例以外の他の実施例に対応する図面を導き出すことが可能である。
【図面の簡単な説明】
【００２２】
【図１】本発明に係る一実施例に従って端末機器の電源オフ動作を制御するための方法を説明する概略的なフローチャート
【図２】本発明に係るさらに別の実施例に従って端末機器の電源オフ動作を制御するための方法を説明する概略的なフローチャート
【図３】本発明に係るさらに別の実施例に従って端末機器の電源オフ動作を制御するための方法を説明する概略的なフローチャート
【図４】本発明に係る実施例として図３に示した方法において使用される端末機器の構造を図示する図式的なブロック図
【図５】本発明に係る一実施例に従って、端末機器の電源オフ動作を制御するための装置の構造を図示する図式的なブロック図
【図６】本発明に係るさらに別の実施例に従って端末機器の電源オフ動作を制御するための装置の構造を図示する図式的なブロック図
【発明を実施するための形態】
【００２３】
以下の説明は、本発明に係る実施例に関する上述した添付図面を参照しながら、本発明に係る実施例が教示する技術的解決法を明確かつ充分に開示する。当然のことであるが、本発明に関して以下において後述される複数の実施例は、本発明について考え得る全ての実施例を網羅するものではなく、本発明に係る実施例の一部を単に例示しているに過ぎない。当該技術分野における当業者が、格別の創意工夫をすることなく、本発明に関して以下において後述する複数の実施例に基づいて想到することが可能なその他全ての実施例は、本発明の権利保護範囲内に当然に含まれる。
【００２４】
図１は、本発明に関して、端末機器の電源オフ動作を制御するための方法の一実施例を示しており、当該実施例において実行される具体的な処理手順は以下のとおりである。
【００２５】
処理ステップ１０１：端末機器の電源がオン状態となった後に、当該端末機器の使用状態を表す情報を獲得し、当該端末機器の使用状態を表す情報に従って、当該端末機器が「正常でない電源オン操作」によって電源オンされているか否かを判定するステップ。
【００２６】
本発明に関するこの実施例においては、当該端末機器は、バッテリーが本体から分離されていない装置の中で、無線通信機能を有し、バッテリーにより駆動されるルータ型の端末機器またはこれとは別のタイプの端末機器であり、当該端末機器の具体例としては、例えば、携帯電話やタブレット型コンピュータ等のような可搬型モバイル端末などが挙げられる。
【００２７】
当該端末機器が「正常でない電源オン操作」によって電源オンされているか否かを判定するために、まず最初に、当該端末機器の使用状態を表す情報が獲得され、当該端末機器の使用状態に関する当該情報が、「正常でない電源オン操作」に関して事前に設定された情報と一致している場合には、当該端末機器が「正常でない電源オン操作」によって電源オンされていると判定する。
【００２８】
上記のように獲得することが可能な当該端末機器の使用状態に関する当該情報には、複数の異なるタイプの情報が含まれるので、当該端末機器が「正常でない電源オン操作」によって電源オンされているか否かを判定するために、端末使用状態に関する何れか一つのタイプの情報を使用する、又は端末使用状態に関する複数の異なるタイプの情報を同時に使用することが可能である。当該端末機器が「正常でない電源オン操作」によって電源オンされていることを迅速に検出することを目的として、端末使用状態に関する一つのタイプの情報だけを獲得するようにすることが可能である。例えば、加入者識別モジュールであるＳＩＭ（Subscriber  Identity  Module）についてのみ端末使用状態を表す情報を獲得することが可能であり、この場合、ＳＩＭカードについての端末使用状態を表す情報を使用して、当該端末機器にＳＩＭカードが挿入されているか否かを識別することが可能である。すなわち、ＳＩＭカードが当該端末機器に全く挿入されていない状態が、「正常でない電源オン操作」による電源オン状態を表しており、ＳＩＭカードについての端末使用状態を表す情報が、このような「正常でない電源オン操作」による電源オン状態を表す情報と一致する場合には、当該端末機器が「正常でない電源オン操作」によって電源オンされていると判定する。当該端末機器が「正常でない電源オン操作」によって電源オンされていることを判定する際の判定精度を向上させることを目的として、端末使用状態に関する複数の異なるタイプの情報を同時に獲得することが可能である。例えば、ＳＩＭカードについての端末使用状態を表す情報に加えて、端末使用状態に関する以下のようなタイプの情報の中の少なくとも一つを併せて獲得することが可能である。（１）第１のタイプは、ＷｉＦｉ（Wireless  Fidelity）ユーザの数についての端末使用状態を表す情報であり、この場合、ＷｉＦｉユーザの数についての端末使用状態を表す情報は、アクセス中のＷｉＦｉユーザが存在するか否かを識別するために使用される。（２）第２のタイプは、Ｂｌｕｅｔｏｏｔｈを介してアクセスしているユーザの数についての端末使用状態を表す情報であり、この場合、Ｂｌｕｅｔｏｏｔｈユーザの数についての端末使用状態を表す情報は、アクセス中のＢｌｕｅｔｏｏｔｈユーザが存在するか否かを識別するために使用される。（３）第３のタイプは、ＵＳＢ（Universal  Serial  Bus）インターフェースについての端末使用状態を表す情報であり、この場合、ＵＳＢインターフェースについての端末使用状態を表す情報は、端末機器のＵＳＢインターフェースに外部接続機器が接続されているか否かを識別するために使用される。（４）第４のタイプは、充電器についての端末使用状態を表す情報であり、この場合、充電器についての端末使用状態を表す情報は、端末機器の充電器インターフェースに充電器が接続されているか否かを識別するために使用される。
【００２９】
上記のように獲得された当該端末機器の使用状態に関する当該情報が、ＷｉＦｉユーザの数についての端末使用状態を表す情報をさらに含んでいる場合には、当該端末機器の使用状態に関する当該情報が、「正常でない電源オン操作」に関して事前に設定された情報と一致する場合とは、アクセス中のＷｉＦｉユーザが全く存在しない状態が、「正常でない電源オン操作」による電源オン状態を表しており、ＷｉＦｉユーザの数についての端末使用状態を表す情報が、このような「正常でない電源オン操作」による電源オン状態を表す情報と一致する場合である。上記のように獲得された当該端末機器の使用状態に関する当該情報が、Ｂｌｕｅｔｏｏｔｈを介してアクセスしているユーザの数についての端末使用状態を表す情報をさらに含んでいる場合には、当該端末機器の使用状態に関する当該情報が、「正常でない電源オン操作」に関して事前に設定された情報と一致する場合とは、Ｂｌｕｅｔｏｏｔｈを介してアクセスしているユーザが全く存在しない状態が、「正常でない電源オン操作」による電源オン状態を表しており、Ｂｌｕｅｔｏｏｔｈを介してアクセスしているユーザの数についての端末使用状態を表す情報が、このような「正常でない電源オン操作」による電源オン状態を表す情報と一致する場合である。上記のように獲得された当該端末機器の使用状態に関する当該情報が、ＵＳＢインターフェースについての端末使用状態を表す情報をさらに含んでいる場合には、当該端末機器の使用状態に関する当該情報が、「正常でない電源オン操作」に関して事前に設定された情報と一致する場合とは、端末機器のＵＳＢインターフェースに外部接続機器が全く接続されていない状態が、「正常でない電源オン操作」による電源オン状態を表しており、ＵＳＢインターフェースについての端末使用状態を表す情報が、このような「正常でない電源オン操作」による電源オン状態を表す情報と一致する場合である。上記のように獲得された当該端末機器の使用状態に関する当該情報が、充電器についての端末使用状態を表す情報をさらに含んでいる場合には、当該端末機器の使用状態に関する当該情報が、「正常でない電源オン操作」に関して事前に設定された情報と一致する場合とは、端末機器の充電器インターフェースに充電器が全く接続されていない状態が、「正常でない電源オン操作」による電源オン状態を表しており、ＵＳＢインターフェースについての端末使用状態を表す情報が、このような「正常でない電源オン操作」による電源オン状態を表す情報と一致する場合である。
【００３０】
加えて、当該端末機器が「正常でない電源オン操作」によって電源オンされているか否かを検出するのに要する検出時間が長くなるのを避けるために、事前に設定された時間期間セグメントを設定することが可能であり、こうすることによって、当該事前に設定された時間期間セグメントの期間内で上述した検出手順の実行を完了させるようにすることが可能である。このような時間期間セグメントは、サービス持続時間および端末機器の待ち時間を参照しながら設定することが可能であり、このような時間期間セグメントの長さの決め方は、本発明に関して上述した実施例に限定されるものではない。当該事前に設定された時間期間セグメントによる上述した検出実行時間の制限機能は、タイマーに対して時間計測期間を設定することにより、実現することが可能である。従って、上述した検出手順は、当該端末機器の電源がオンされた後に、タイマーによる時間計測を開始するステップと、タイマーにより時間計測している期間内において、当該端末機器が「正常でない電源オン操作」によって電源オンされているか否かを検出するステップとを含んでいる。
【００３１】
処理ステップ１０２：当該端末機器が「正常でない電源オン操作」によって電源オンされていると判定した後に、当該端末機器を制御して当該端末機器の電源をオフにする。
【００３２】
当該端末機器の電源がオンされたならば、タイマーによる時間計測が開始され、当該端末機器が「正常でない電源オン操作」によって電源オンされているか否かが検出され、当該端末機器が「正常でない電源オン操作」によって電源オンされていると判定され、かつ、事前に設定された時間計測期間が満了した時点において、当該端末機器の電源をオフにするための端末制御が実行される。加えて、当該時間計測期間内において、当該端末機器の電源が正常にオンされていたならば、上述した検出手順は前もって終了させられ、タイマーは動作を終了させられ、再度初期化される。
【００３３】
上記説明から分かるとおり、端末機器の電源オフ動作を制御するために、本発明に係る複数の実施例によって開示される方法においては、端末機器は、電源オフの操作がされた後は、必ずしも常に電源オン状態のままであるとは限らない。むしろ、本発明に係る実施例においては、当該端末機器が正常でない電源オン操作により電源オンされた状態であるか否かが最初に検出され、当該端末機器の梱包作業と輸送の過程において、不慮のミスにより電源スイッチに対して偶発的にオン操作がされたことに起因して、当該端末機器が電源オン状態になっている場合には、当該端末機器が「正常でない電源オン操作」により電源オンされた状態であることを検出可能であり、そのような場合には、当該端末機器を制御して電源オフ状態とし、その結果として、「正常でない電源オン操作」により浪費されていたかもしれないバッテリー容量を温存し、最初の電源オン操作がされた時点において、当該端末機器のバッテリー容量が電源供給の必要性を満足するようにし、当該最初の電源オン操作による端末起動の成功率を高めることが可能となる。
【００３４】
図２は、本発明に関して、端末機器の電源オフ動作を制御するための方法を実施するためのさらに別の実施例を図示しており、この実施例では、ＳＩＭカードについての端末使用状態を表す情報を獲得することによって、当該端末機器が「正常でない電源オン操作」によって電源オンされているか否かが検出される。この実施例において実行される具体的な処理手順は以下のとおりである。
【００３５】
処理ステップ２０１：当該端末機器の電源がオンされた後に、ＳＩＭカードについての端末使用状態を表す情報を、当該端末機器について獲得する。
【００３６】
通常の場合であれば、正常に電源がオンされた端末機器の本体には、ＳＩＭカードが挿入されているはずである。そこで、本実施例においては、ＳＩＭカードについての端末使用状態を表す情報を獲得することが可能であり、当該ＳＩＭカードについての当該端末使用状態を表す情報を使用して、端末機器本体にＳＩＭカードが挿入されているか否かが識別される。その結果、上記のとおり獲得されたＳＩＭカードについての端末使用状態を表す情報に従って、当該端末機器が「正常でない電源オン操作」によって電源オンされているか否かが判定される。
【００３７】
処理ステップ２０２：ＳＩＭカードについての端末使用状態を表す当該端末機器の情報に従って、端末機器本体にＳＩＭカードが挿入されているか否かを判定し、挿入されていれば、処理ステップ２０３に進み、そうでなければ、処理ステップ２０４に進む。
【００３８】
ＳＩＭカードについての端末使用状態を表す情報の具体的内容と、当該ＳＩＭカードについて識別された個々の端末使用状態との間の対応関係は、以下の表１に示すとおりとすることが可能である。
【００３９】
【表１】
2015504277.tif 000003
表１の記載から分かるとおり、ＳＩＭカードについての端末使用状態を表す情報の値が「０」であるならば、ＳＩＭカードが挿入されている状態を表しており、ＳＩＭカードについての端末使用状態を表す情報の値が「１」であるならば、ＳＩＭカードが全く挿入されていない状態を表している。
【００４０】
処理ステップ２０３：当該端末機器の電源が正常にオンされていると判断し、電源オン状態をそのまま維持する。
【００４１】
処理ステップ２０４：当該端末機器が「正常でない電源オン操作」によって電源オンされていると判断し、当該端末機器を制御して当該端末機器の電源をオフにする。
【００４２】
本発明に関して上述した実施例においては、タイマーによる時間計測が開始されたならば、当該タイマーによる時間計測期間内において、当該ＳＩＭカードについての端末使用状態を表す情報を周期的に獲得することが可能であり、ＳＩＭカードが全く挿入されていないことを、当該時間計測期間内において獲得された当該ＳＩＭカードについての端末使用状態を表す情報が表している場合には、当該端末機器が「正常でない電源オン操作」によって電源オンされていると判断する。
【００４３】
上述した説明から分かるとおり、端末機器の電源オフ動作を制御するための方法の実施例として、本発明に係る上記実施例が開示する方法は、最初の電源オン操作がされた時点で残存している当該端末機器のバッテリー容量が充分であることを保証し、その結果として、当該最初の電源オン操作による端末起動の成功率を高めるという効果のみならず、ＳＩＭカードについての端末使用状態を表す情報を獲得することにより、「正常でない電源オン操作」に起因する電源オン状態を検出する仕組みとして、単純で効率的な検出手順を実現することが出来る。
【００４４】
図３は、本発明に関して、端末機器の電源オフ動作を制御するための方法を実施するためのさらに別の実施例を図示しており、この実施例では、当該端末機器は、無線通信機能を有し、バッテリーにより駆動されるルータ型の端末機器であり、端末機器が「正常でない電源オン操作」により電源オンされているか否かを検出する手順の実行を、タイマーにより時間計測が行われている期間内で完了するようにし、当該端末機器が「正常でない電源オン操作」により電源オンされているか否かを検出する手順の実行期間中において獲得される端末使用状態に関する情報は、、ＳＩＭカードについての端末使用状態を表す情報とＷｉＦｉユーザの数についての端末使用状態を表す情報の両方を含んでいる。この実施例において実行される具体的な処理手順は以下のとおりである。
【００４５】
処理ステップ３０１：端末機器の電源がオンされた後に、タイマーによる時間計測を開始する。
【００４６】
具体的には、端末機器が電源オンの状態になった後の初期化動作中に、タイマーによる時間計測が開始される。
【００４７】
本実施例においては、タイマーによる時間計測の期間は、必要に応じて事前に設定することが可能である。例えば、上述した時間計測の期間の長さは、サービス持続時間や端末機器の待ち時間を参照しながら事前に設定することが可能である。本発明においては、上述した時間計測の期間の長さの決め方は、特定の決め方に限定されるものではなく、上述した時間計測の期間の長さは、例えば、１分、２分または３分などの長さに事前設定することが可能である。
【００４８】
処理ステップ３０２：ＳＩＭカードについての端末使用状態を表す情報とＷｉＦｉユーザの数についての端末使用状態を表す情報を獲得する。
【００４９】
ＳＩＭカードについての端末使用状態を表す情報の値が「０」であるならば、ＳＩＭカードが挿入されている状態を表しており、ＳＩＭカードについての端末使用状態を表す情報の値が「１」であるならば、ＳＩＭカードが全く挿入されていない状態を表している。ＷｉＦｉユーザの数についての端末使用状態を表す情報の値が「０」であるならば、アクセス中のＷｉＦｉユーザが全く存在しない状態を表しており、ＷｉＦｉユーザの数についての端末使用状態を表す情報の値が「１」であるならば、アクセス中のＷｉＦｉユーザが存在している状態を表している。
【００５０】
当該端末機器が「正常でない電源オン操作」によって電源オンされているか否かを判定するために、端末機器の使用状態を表す情報として、端末使用状態に関する複数の異なるタイプの情報を同時に含んだ情報を獲得することが可能であるが、上述した複数の異なるタイプの情報は、ＳＩＭカードについての端末使用状態を表す情報とＷｉＦｉユーザの数についての端末使用状態を表す情報の２者だけに限られず、ＳＩＭカードについての端末使用状態を表す情報に加えて、以下に列挙するタイプの端末使用状態情報を含み得ることに留意されたい。（１）第１のタイプは、ＷｉＦｉ（Wireless  Fidelity）ユーザの数についての端末使用状態を表す情報である。（２）第２のタイプは、Ｂｌｕｅｔｏｏｔｈを介してアクセスしているユーザの数についての端末使用状態を表す情報である。（３）第３のタイプは、ＵＳＢ（Universal  Serial  Bus）インターフェースについての端末使用状態を表す情報である。（４）第４のタイプは、充電器についての端末使用状態を表す情報である。本実施例においては、当該端末機器が「正常でない電源オン操作」によって電源オンされているか否かを検出するために、上述した複数の異なるタイプの端末使用状態情報のうち、どのようなタイプを組み合わせを使用するかに関しては、特定の組み合わせに限定されるものではない。
【００５１】
処理ステップ３０３：上記のとおり獲得された端末機器の使用状態を表す情報に従って、端末本体にＳＩＭカードが挿入されておらず、しかもアクセス中のＷｉＦｉユーザが全く存在しない状態であるか否かを判定し、そのような状態であれば、処理ステップ３０４に進み、そのような状態でなければ、処理ステップ３０６に進む。
【００５２】
処理ステップ３０４：タイマーによる時間計測期間が満了したか否かを判定し、満了していれば処理ステップ３０５に進み、満了していなければ、処理ステップ３０２に戻る。
【００５３】
処理ステップ３０５：当該端末機器が「正常でない電源オン操作」によって電源オンされていると判断し、当該端末機器を制御して当該端末機器の電源をオフにする。
【００５４】
当該端末機器を制御して当該端末機器の電源をオフにした後の状態は、端末内に内蔵されているバッテリーが端末本体への電源供給を停止した状態であるので、端末内のバッテリー容量の節約につながる。
【００５５】
処理ステップ３０６：既存のタイマーの動作を停止させて無効化し、端末機器を制御して端末機器を通常どおりに使用できるような状態にする。
【００５６】
上述した説明から分かるとおり、端末機器の電源オフ動作を制御するための方法の実施例として、本発明に係る上記実施例が開示する方法は、最初の電源オン操作がされた時点で残存している当該端末機器のバッテリー容量が充分であることを保証し、その結果として、当該最初の電源オン操作による端末起動の成功率を高めるという効果のみならず、ＳＩＭカードについての端末使用状態を表す情報とＷｉＦｉユーザの数についての端末使用状態を表す情報の両者を獲得することにより、端末機器が「正常でない電源オン操作」により電源オンされているか否かを判定する際の判定の正確性を一層向上させ、その結果として、端末機器の電源のオフ動作を制御する際の制御の正確性を向上させることが出来る。
【００５７】
図４は、本発明に係る実施例として図３に示した方法において使用される端末機器の構造を図示する図式的なブロック図であり、当該端末機器は、プロセッサ４０１、ＷｉＦｉユニット４０２、ＳＩＭカード・ユニット４０３、Ｂｌｕｅｔｏｏｔｈユニット４０４、ＵＳＢインターフェース・ユニット４０５および充電器インターフェース・ユニット４０６を含んでおり、端末機器を構成するこれらの物理的構成部品に基づいて、端末機器の電源オフ動作を制御するための本発明に係る方法が実現される。
【００５８】
ＷｉＦｉユニット４０２は、ＷｉＦｉユーザによるアクセス機能を実装するように構成され、ＷｉＦｉユーザが現在アクセス中であることを検出した場合に、ＷｉＦｉユーザの数についての端末使用状態を表す情報（例えば、アクセス中のＷｉＦｉユーザが全く存在しない状態を表すために「０」の値を使用し、ＷｉＦｉユーザが現在アクセス中である状態を表すために、「１」の値を使用する）を変更し、プロセッサ４０１に対して、ＷｉＦｉユーザの数についての端末使用状態を表す情報を通知し、すなわち、ＷｉＦｉユーザの数についての端末使用状態を表す情報に変更操作を加えた後に、ＷｉＦｉユーザの数についての端末使用状態を表す情報に対するイベント処理の発生をプロセッサ４０１に通知する。
【００５９】
ＳＩＭカード・ユニット４０３は、端末機器本体とＳＩＭカードとの間の対話機能を実装を実装するように構成され、ＳＩＭカードから得らる情報を読み出し、端末機器本体に通知し、ＳＩＭカードが端末機器本体に挿入されていることを検出した際に、ＳＩＭカードについての端末使用状態を表す情報（例えば、利用可能なＳＩＭカードが全く存在しない状態を表すために「０」の値を使用し、利用可能なＳＩＭカードが存在する状態を表すために、「１」の値を使用する）を変更し、プロセッサ４０１に対して、ＳＩＭカードについての端末使用状態を表す情報を通知し、すなわち、ＳＩＭカードが端末機器本体に挿入された旨の情報を追加した後に、ＳＩＭカードについての端末使用状態を表す情報に対するイベント処理の発生をプロセッサ４０１に通知する。
【００６０】
Ｂｌｕｅｔｏｏｔｈユニット４０４は、端末機器本体と別の機器との間のＢｌｕｅｔｏｏｔｈ接続機能を実装を実装するように構成され、Ｂｌｕｅｔｏｏｔｈユーザが現在アクセス中であることを検出した場合に、Ｂｌｕｅｔｏｏｔｈを介してアクセスしているユーザの数についての端末使用状態を表す情報（例えば、アクセス中のＢｌｕｅｔｏｏｔｈユーザが全く存在しない状態を表すために「０」の値を使用し、Ｂｌｕｅｔｏｏｔｈユーザが現在アクセス中である状態を表すために、「１」の値を使用する）を変更し、プロセッサ４０１に対して、Ｂｌｕｅｔｏｏｔｈを介してアクセスしているユーザの数についての端末使用状態を表す情報を通知し、すなわち、Ｂｌｕｅｔｏｏｔｈを介してアクセスしているユーザの数を表す情報に変更操作を加えた後に、Ｂｌｕｅｔｏｏｔｈを介してアクセスしているユーザの数についての端末使用状態を表す情報に対するイベント処理の発生をプロセッサ４０１に通知する。
【００６１】
ＵＳＢインターフェース・ユニット４０５は、ＵＳＢインターフェース機能を実装を実装するように構成され、ＵＳＢインターフェースを介してデータを転送し、ＵＳＢインターフェースに外部接続機器が接続されていることを検出した際に、ＵＳＢインターフェースについての端末使用状態を表す情報（例えば、ＵＳＢインターフェースに外部接続機器が全く接続されていない状態を表すために「０」の値を使用し、ＵＳＢインターフェースに外部接続機器が接続されている状態を表すために、「１」の値を使用する）を変更し、プロセッサ４０１に対して、ＵＳＢインターフェースについての端末使用状態を表す情報を通知し、すなわち、ＵＳＢインターフェースに外部接続機器が接続された旨の情報を追加した後に、ＵＳＢインターフェースについての端末使用状態を表す情報に対するイベント処理の発生をプロセッサ４０１に通知する。
【００６２】
充電器インターフェース・ユニット４０６は、充電器インターフェース機能を実装するために端末機器本体に充電器が接続されているか否かを検出を実装するように構成され、充電器インターフェースに充電器が接続されたことを検出した際に、充電器についての端末使用状態を表す情報（例えば、充電器インターフェースに充電器が全く接続されていない状態を表すために「０」の値を使用し、充電器インターフェースに充電器が接続されている状態を表すために、「１」の値を使用する）を変更し、プロセッサ４０１に対して、充電器インターフェースについての端末使用状態を表す情報を通知し、すなわち、充電器インターフェースに充電器が接続された旨の情報を追加した後に、充電器インターフェースについての端末使用状態を表す情報に対するイベント処理の発生をプロセッサ４０１に通知する。
【００６３】
プロセッサ４０１は、本発明に係る実施例に従って、端末機器の電源オフ動作を制御するための方法を実行するように構成され、プロセッサ４０１の初期化動作の実行中にタイマーを使用した時間計測を開始し、当該タイマーにより時間計測が行われている期間中に、ＷｉＦｉユニット４０２、ＳＩＭカード・ユニット４０３、Ｂｌｕｅｔｏｏｔｈユニット４０４、ＵＳＢインターフェース・ユニット４０５および充電器インターフェース・ユニット４０６から端末機器の使用状態を表す情報を獲得し、端末機器の電源が正常にオン操作されていることを検出した際に、プロセッサ４０１の初期化動作の実行中に動作開始させたタイマーを停止して無効化し、さもなければ、当該タイマーにより計測された期間の長さが所定の時間計測期間に到達した後に、端末機器を制御して端末機器の電源をオフにする。
【００６４】
本発明において、端末機器の電源オフ動作を制御するための方法を実施するための上記実施例に対応するさらに別の実施例として、端末機器の電源オフ動作を制御するための装置の実施例が以下においてさらに後述される。
【００６５】
図５は、本発明に係る一実施例に従って、端末機器の電源オフ動作を制御するための装置の構造を図示し、当該装置は：前記端末機器が電源オンされた後に、前記端末機器の使用状態を表す情報を獲得するように構成された獲得ユニット５０１；獲得ユニット５０１により獲得された前記端末機器の使用状態を表す前記情報に従って、前記端末機器が正常でない電源オン操作により電源オンされていると判定するように構成された検出ユニット５０２；および、前記端末機器が正常でない電源オン操作により電源オンされている状態であることを検出ユニット５０２が前記判定したならば、前記端末機器を制御して電源オフ動作を実行する制御ユニット５０３；を具備する。
【００６６】
一つの具体的な実装形態においては、獲得ユニット５０１が獲得する前記端末機器の使用状態を表す前記情報は、具体的には、ＳＩＭ（Subscriber  Identity  Module）カードについての端末使用状態を表す情報を含んでおり、検出ユニット５０２は、具体的には、前記端末機器にＳＩＭカードが全く挿入されていない状態であることを、前記ＳＩＭカードについての端末使用状態を表す情報が示しているならば、前記端末機器が正常でない電源オン操作により電源オンされていると判定するように構成されている。
【００６７】
さらに別の具体的な実装形態においては、獲得ユニット５０１が獲得する前記端末機器の使用状態を表す前記情報は、具体的には、ＷｉＦｉ（Wireless  Fidelity）ユーザの数についての端末使用状態を表す情報を含んでおり、検出ユニット５０２は、具体的には、前記端末機器にアクセスしているＷｉＦｉユーザが全く存在しない状態であることを、前記ＷｉＦｉユーザの数についての端末使用状態を表す情報が示しているならば、前記端末機器が正常でない電源オン操作により電源オンされていると判定するように構成されている。
【００６８】
さらに別の具体的な実装形態においては、獲得ユニット５０１が獲得する前記端末機器の使用状態を表す前記情報は、具体的には、Ｂｌｕｅｔｏｏｔｈを介してアクセスしているユーザの数についての端末使用状態を表す情報を含んでおり、検出ユニット５０２は、具体的には、前記端末機器をアクセスしているＢｌｕｅｔｏｏｔｈユーザが全く存在しない状態であることを、前記Ｂｌｕｅｔｏｏｔｈを介してアクセスしているユーザの数についての端末使用状態を表す情報が示しているならば、前記端末機器が正常でない電源オン操作により電源オンされていると判定するように構成されている。
【００６９】
さらに別の具体的な実装形態においては、獲得ユニット５０１が獲得する前記端末機器の使用状態を表す前記情報は、具体的には、ＵＳＢ（Universal  Serial  Bus）インターフェースについての端末使用状態を表す情報を含んでおり、検出ユニット５０２は、具体的には、端末機器のＵＳＢインターフェースに外部接続機器が全く接続されていない状態であることを、前記ＵＳＢインターフェースについての端末使用状態を表す情報が示しているならば、前記端末機器が正常でない電源オン操作により電源オンされていると判定するように構成されている。
【００７０】
さらに別の具体的な実装形態においては、獲得ユニット５０１が獲得する前記端末機器の使用状態を表す前記情報は、具体的には、充電器についての端末使用状態を表す情報を含んでおり、検出ユニット５０２は、具体的には、端末機器の充電器インターフェースに充電器が全く接続されていない状態であることを、前記充電器についての端末使用状態を表す情報が示しているならば、前記端末機器が正常でない電源オン操作により電源オンされていると判定するように構成されている。
【００７１】
本発明の実施のために、上述した複数の具体的実装形態を組み合わせることが可能であることに留意されたい。例えば、獲得ユニット５０１は、ＳＩＭカードについての端末使用状態を表す情報とＷｉＦｉユーザの数についての端末使用状態を表す情報の両者を同時に獲得することが可能であり、端末本体にＳＩＭカードが全く挿入されておらず、しかもアクセス中のＷｉＦｉユーザが全く存在しない状態であると判定した際に、検出ユニット５０２は、端末機器が正常でない電源オン操作により電源オンされていると判断する。
【００７２】
上述した説明から分かるとおり、端末機器の電源オフ動作を制御するための装置の実施例として、本発明に係る上記実施例が開示する装置を使用する場合、端末機器は、電源オフの操作がされた後は、必ずしも常に電源オン状態のままであるとは限らない。むしろ、本発明に係る実施例においては、当該端末機器が正常でない電源オン操作により電源オンされた状態であるか否かが最初に検出され、当該端末機器の梱包作業と輸送の過程において、不慮のミスにより電源スイッチに対して偶発的にオン操作がされたことに起因して、当該端末機器が電源オン状態になっている場合には、当該端末機器が「正常でない電源オン操作」により電源オンされた状態であることを検出可能である。その場合、検出ユニット５０２は、当該端末機器が「正常でない電源オン操作」により電源オンされた状態であることを検出し、制御ユニット５０３は、当該端末機器を制御して当該端末機器の電源をオフにする。その結果として、本発明は、「正常でない電源オン操作」により浪費されていたかもしれないバッテリー容量を温存し、最初の電源オン操作がされた時点において、当該端末機器のバッテリー容量が電源供給の必要性を満足させることを保証し、当該最初の電源オン操作による端末起動の成功率を高めることが可能となる。
【００７３】
図６は、本発明に係るさらに別の実施例に従って、端末機器の電源オフ動作を制御するための装置の構造を図示し、当該装置は：端末機器の電源がオン状態となった後に、タイマーによる時間計測を開始するように構成されたタイミング・ユニット６０１；タイミング・ユニット６０１が前記タイマーによる時間計測を開始した後に、端末機器の使用状態を表す情報を獲得するように構成された獲得ユニット６０２；獲得ユニット６０２により獲得された前記端末機器の使用状態を表す前記情報に従って、前記端末機器が正常でない電源オン操作により電源オンされていると判定するように構成された検出ユニット６０３；および、前記端末機器が正常でない電源オン操作により電源オンされている状態であることを検出ユニット６０３が前記判定し、かつ、タイミング・ユニット６０１により前記タイマーを使用して計測が開始された計測時間の長さが、事前に設定された時間計測期間に到達したならば、前記端末機器を制御して電源オフ動作を実行する制御ユニット６０４；を具備し、前記端末機器が正常でない電源オン操作により電源オンされている状態ではないことを前記検出ユニット６０３が検出した場合には、タイミング・ユニット６０１は、前記タイマーを停止させて無効化するように構成されている。
【００７４】
一つの具体的な実装形態においては、獲得ユニット６０２が獲得する前記端末機器の使用状態を表す前記情報は、具体的には、ＳＩＭ（Subscriber  Identity  Module）カードについての端末使用状態を表す情報を含んでおり、検出ユニット６０３は、具体的には、前記端末機器にＳＩＭカードが全く挿入されていない状態であることを、前記ＳＩＭカードについての端末使用状態を表す情報が示しているならば、前記端末機器が正常でない電源オン操作により電源オンされていると判定するように構成されている。
【００７５】
さらに別の具体的な実装形態においては、獲得ユニット６０２が獲得する前記端末機器の使用状態を表す前記情報は、具体的には、ＷｉＦｉ（Wireless  Fidelity）ユーザの数についての端末使用状態を表す情報を含んでおり、検出ユニット６０３は、具体的には、前記端末機器にアクセスしているＷｉＦｉユーザが全く存在しない状態であることを、前記ＷｉＦｉユーザの数についての端末使用状態を表す情報が示しているならば、前記端末機器が正常でない電源オン操作により電源オンされていると判定するように構成されている。
【００７６】
さらに別の具体的な実装形態においては、獲得ユニット６０２が獲得する前記端末機器の使用状態を表す前記情報は、具体的には、Ｂｌｕｅｔｏｏｔｈを介してアクセスしているユーザの数についての端末使用状態を表す情報を含んでおり、検出ユニット６０３は、具体的には、前記端末機器をアクセスしているＢｌｕｅｔｏｏｔｈユーザが全く存在しない状態であることを、前記Ｂｌｕｅｔｏｏｔｈを介してアクセスしているユーザの数についての端末使用状態を表す情報が示しているならば、前記端末機器が正常でない電源オン操作により電源オンされていると判定するように構成されている。
【００７７】
さらに別の具体的な実装形態においては、獲得ユニット６０２が獲得する前記端末機器の使用状態を表す前記情報は、具体的には、ＵＳＢ（Universal  Serial  Bus）インターフェースについての端末使用状態を表す情報を含んでおり、検出ユニット６０３は、具体的には、端末機器のＵＳＢインターフェースに外部接続機器が全く接続されていない状態であることを、前記ＵＳＢインターフェースについての端末使用状態を表す情報が示しているならば、前記端末機器が正常でない電源オン操作により電源オンされていると判定するように構成されている。
【００７８】
さらに別の具体的な実装形態においては、獲得ユニット６０２が獲得する前記端末機器の使用状態を表す前記情報は、具体的には、充電器についての端末使用状態を表す情報を含んでおり、検出ユニット６０３は、具体的には、端末機器の充電器インターフェースに充電器が全く接続されていない状態であることを、前記充電器についての端末使用状態を表す情報が示しているならば、前記端末機器が正常でない電源オン操作により電源オンされていると判定するように構成されている。
【００７９】
本発明の実施のために、上述した複数の具体的実装形態を組み合わせることが可能であることに留意されたい。例えば、獲得ユニット６０２は、ＳＩＭカードについての端末使用状態を表す情報とＷｉＦｉユーザの数についての端末使用状態を表す情報の両者を同時に獲得することが可能であり、端末本体にＳＩＭカードが全く挿入されておらず、しかもアクセス中のＷｉＦｉユーザが全く存在しない状態であると判定した際に、検出ユニット６０３は、端末機器が正常でない電源オン操作により電源オンされていると判断する。
【００８０】
上述した説明から分かるとおり、端末機器の電源オフ動作を制御するための装置の実施例として、本発明に係る上記実施例が開示する装置を使用する場合、端末機器は、電源オフの操作がされた後は、必ずしも常に電源オン状態のままであるとは限らない。むしろ、本発明に係る実施例においては、当該端末機器が正常でない電源オン操作により電源オンされた状態であるか否かが最初に検出され、当該端末機器の梱包作業と輸送の過程において、不慮のミスにより電源スイッチに対して偶発的にオン操作がされたことに起因して、当該端末機器が電源オン状態になっている場合には、当該端末機器が「正常でない電源オン操作」により電源オンされた状態であることを検出可能である。その場合、検出ユニット５０２は、当該端末機器が「正常でない電源オン操作」により電源オンされた状態であることを検出し、制御ユニット５０３は、当該端末機器を制御して当該端末機器の電源をオフにする。その結果として、本発明は、「正常でない電源オン操作」により浪費されていたかもしれないバッテリー容量を温存し、最初の電源オン操作がされた時点において、当該端末機器のバッテリー容量が電源供給の必要性を満足させることを保証し、当該最初の電源オン操作による端末起動の成功率を高めることが可能となる。
【００８１】
当該技術分野における当業者であれば、本明細書中に開示された複数の実施例において上述した複数の例示的な装置や方法などと組み合わせる形で、複数の機能ユニットやアルゴリズム処理ステップを電子的ハードウェア、コンピュータ・ソフトウェアまたはこれらを組み合わせたものにより実装することが可能である。ハードウェアによる実装形態とソフトウェアによる実装形態との間の交換可能性について明確に述べるために、上述した説明においては、本発明において実現されるべき複数の機能に従って、各具体例は、複数の機能部分又は複数の処理ステップとして一般化された形で記述されている。本発明において実現されるべき当該複数の機能がハードウェアにより実行されるか、ソフトウェアとして実行されるかは、本発明に関して上述した技術的解決法を実施する際の特定用途や設計上の制約条件に依存している。当該技術分野における当業者は、本発明の技術的範囲から逸脱することなしに、上述した特定用途の各々に関して記述された複数の機能を実装するための異なる方法を採用することも可能である。
【００８２】
本明細書中で述べた複数の実施例と組み合わせる形で、本明細書中で上述した方法を構成する処理ステップやアルゴリズムは、ハードウェアを使用して直接実行される形態としても、プロセッサにより実行されるソフトウェア・モジュールとしても、あるいはこれらを組み合わせたものとしても実装することが可能である。
【００８３】
本発明に係る複数の実施例を開示している本明細書中の上記説明は、当該技術分野における当業者であれば、本発明を実施することが出来るようにするために記述されている。これら複数の実施例に対する複数の修正は、当該技術分野における当業者にとっては自明な事項である。本発明において規定される基本原理は、本発明の技術的範囲から逸脱することなしに、上記以外の他の実施例においても実施することが可能である。従って、本発明の技術的範囲は、本明細書中で上述してきた実施例だけに限定されるものではなく、本発明の技術的範囲は、本明細書が開示する基本原理と新規なアイデアと整合している最も広い範囲に及ぶものである。
【００８４】
本明細書において上述した複数の実施例は、本発明に関して考え得る実施例の中のほんの一部であるが、この事は、本明細書において上述した複数の実施例により、本発明の技術的範囲が限定解釈されることを意図するものではない。本発明に係る複数の実施例から理解される技術思想と基本原理の範囲内において本発明に係る実施例に対して成された如何なる修正、均等物による置換、または技術的改良による結果であっても本発明の権利保護範囲内に含まれている。
【図１】
2015504277.tif 000004
【図２】
2015504277.tif 000005
【図３】
2015504277.tif 000006
【図４】
2015504277.tif 000007
【図５】
2015504277.tif 000008
【図６】
2015504277.tif 000009
【国際調査報告】
2015504277.tif 000010
2015504277.tif 000011
2015504277.tif 000012
2015504277.tif 000013